(57)【要約】【課題】吸収体よりも幅方向の外側における排泄物の滲み出しを低減しつつ、肌触りの悪化を抑制できる吸収性物品を提供する。【解決手段】  ナプキン１は、吸収体１０と、吸収体１０より肌面側Ｔ１に配置されており、着用者の肌に対向するトップシート２と、吸収体１０より非肌面側Ｔ２に配置されているサイドシート５と、吸収体１０の外側縁１０Ｅよりも幅方向Ｗの外側に設けられており、疎水性を有する外側疎水部２１０と、を有する。トップシート２は、トップシート２の両側の側端部が非肌面側Ｔ２に折り返された一対の第１折り返し部２ｈを有する。一対の第１折り返し部２ｈは、本体接合部５ａによってサイドシート２２と接合されている。一対の第１折り返し部２ｈの先端２ｈｅは、本体接合部５ａの外側縁５ｅよりも幅方向Ｗの内側に位置する。【選択図】図４
2020058634.tif 000002
【特許請求の範囲】
【請求項１】
前後方向、前記前後方向に直交する幅方向、及び厚さ方向と、
吸収体と、
前記吸収体より肌面側に配置されており、着用者の肌に対向するトップシートと、
前記吸収体より非肌面側に配置されている非肌側シートと、
前記吸収体の前記幅方向の外側縁よりも前記幅方向の外側に設けられており、疎水性を有する外側疎水部と、を有する吸収性物品であって、
前記トップシートは、前記トップシートの両側の側端部が非肌面側に折り返された一対の第１折り返し部を有し、
前記一対の第１折り返し部は、接合部によって前記非肌側シートと接合されており、
前記一対の第１折り返し部の前記幅方向の先端は、前記接合部の外側縁よりも前記幅方向の内側に位置する、吸収性物品。
【請求項２】
前記吸収性物品の前記幅方向及び前記厚さ方向に沿った断面において、前記トップシートは、前記幅方向の最も外側の端縁である肌側側端を有し、
前記外側疎水部の少なくとも一部は、前記肌側側端よりも肌面側に設けられている請求項１に記載の吸収性物品。
【請求項３】
前記吸収性物品の前記幅方向及び前記厚さ方向に沿った断面において、前記トップシートは、前記幅方向の最も外側の端縁である肌側側端を有し、
前記外側疎水部の少なくとも一部は、前記肌側側端よりも非肌面側に設けられている請求項１又は２に記載の吸収性物品。
【請求項４】
前記外側疎水部は、前記トップシートの非肌面側に設けられている請求項１から３のいずれか１項に記載の吸収性物品。
【請求項５】
前記トップシートと前記吸収体との間に配置されている中間シートを有し、
前記外側疎水部は、前記中間シートの肌面側に設けられている請求項１から３のいずれか１項に記載の吸収性物品。
【請求項６】
前記トップシートと前記吸収体との間に配置されている中間シートを有し、
前記外側疎水部は、前記中間シートの非肌面側に設けられている請求項１から３のいずれか１項に記載の吸収性物品。
【請求項７】
前記中間シートは、前記中間シートの両側の側端部が非肌面側に折り返された一対の第２折り返し部を有し、
前記中間シートは、
前記吸収性物品の前記幅方向及び前記厚さ方向に沿った断面において、前記中間シートの前記幅方向における最も外側の端縁である中間肌側側端と、
前記吸収体の前記外側縁よりも前記幅方向の外側であって、且つ、前記厚さ方向において前記中間肌側側端より肌面側に位置する中間肌面部と、
前記吸収体の前記外側縁よりも前記幅方向の外側であって、且つ、前記厚さ方向において前記中間肌側側端より非肌面側に位置する中間非肌面部と、を有し、
前記外側疎水部は、前記中間肌面部と、前記中間非肌面部とを跨がって設けられている請求項６に記載の吸収性物品。
【請求項８】
前記中間肌面部上に設けられている前記外側疎水部と前記中間非肌面部上に設けられている前記外側疎水部とのうち一方の外側疎水部が、他方の外側疎水部よりも前記幅方向の内側に延びている請求項７に記載の吸収性物品。
【請求項９】
前記トップシートと前記吸収体との間に配置されている中間シートを有し、
前記中間シートは、前記中間シートの両側の側端部が非肌面側に折り返された一対の第２折り返し部を有し、
前記一対の第２折り返し部の前記幅方向の先端は、前記吸収体よりも前記幅方向の外側に配置されている請求項１から７のいずれか１項に記載の吸収性物品。
【請求項１０】
前側域と、後側域と、前記前側域と前記後側域との間に配置されている中央域と、を有し、
前記トップシートは、前記幅方向の最も外側の端縁である肌側側端を有し、
前記吸収体の前記幅方向の側端縁は、
前記前側域において最大の幅に位置する前側最大端縁と、
前記後側域において最大の幅に位置する後側最大端縁と、
前記中央域において最大の幅に位置する中央最大端縁と、を有し、
前記肌側側端から前記中央最大端縁までの距離は、前記肌側側端から前記前側最大端縁までの距離及び前記肌側側端から前記後側最大端縁までの距離よりも長い請求項１から９のいずれか１項に記載の吸収性物品。
【請求項１１】
前記吸収体の前記幅方向の外側縁よりも前記幅方向の内側に設けられている中央疎水部を有し、
前記中央疎水部は、前記吸収体よりも肌面側に設けられており、
前記疎水部は、前記吸収性物品に印刷されたインクが配置されている複数の網点により構成されており、
前記中央疎水部における前記複数の網点の単位面積当たりの密度は、前記外側疎水部における前記複数の網点の単位面積当たりの密度よりも小さい請求項１から１０のいずれか１項に記載の吸収性物品。
【請求項１２】
前記吸収体の前記幅方向の外側縁よりも前記幅方向の内側に設けられている中央疎水部を有し、
前記中央疎水部は、前記吸収体よりも肌面側に設けられており、
前記中央疎水部及び前記外側疎水部は、前記吸収性物品に印刷されたインクが配置されている複数の網点により構成されており、
前記外側疎水部における前記複数の網点の単位面積当たりの密度は、前記中央疎水部における前記複数の網点の単位面積当たりの密度よりも小さい請求項１から１０のいずれか１項に記載の吸収性物品。
【請求項１３】
前記吸収体の前記幅方向の外側縁よりも前記幅方向の内側に設けられている中央疎水部を有し、
前記中央疎水部は、前記吸収体よりも肌面側に設けられており、
前記吸収体は、液体吸収性繊維の集合体からなる吸収コアを有し、
前記幅方向における前記中央疎水部と前記外側疎水部との間には、前記トップシートと前記吸収コアとが前記厚さ方向に圧搾された圧搾部が設けられている請求項１から１２のいずれか１項に記載の吸収性物品。
【請求項１４】
前記吸収体の前記外側縁よりも前記幅方向の外側において、前記トップシートどうしが、接合されていない請求項１から１３のいずれか１項に記載の吸収性物品。
【請求項１５】
前記トップシートと前記非肌側シートとを接合する接合部を有し、
前記接合部は、前記外側疎水部と当接しない位置に配置されている請求項１から１３のいずれか１項に記載の吸収性物品。
【請求項１６】
前側域と、後側域と、前記前側域と前記後側域との間に配置されている中央域と、
前記中央域において、前記吸収体の前記幅方向の外側縁よりも前記幅方向の内側に設けられており、疎水性を有する中央疎水部と、を有し、
前記吸収体よりも肌面側に配置されており且つ前記中央疎水部が設けられているシートにおいて、前記中央疎水部と重なる部分の最大厚さは、前記中央疎水部よりも前記幅方向の外側の部分の最大厚さよりも薄い請求項１から１５のいずれか１項に記載の吸水性物品。
【発明の詳細な説明】
【技術分野】
【０００１】
本発明は、吸収性物品に関する。
【背景技術】
【０００２】
特許文献１には、吸収体と、着用者の肌に対向するトップシートと、トップシートと吸収体との間に配置されている中間シートと、吸収体より非肌面側に配置されている非肌側シートと、を有する吸収性物品が開示されている。当該吸収性物品の中間シートの側端部は、吸収体の幅方向の外側縁よりも幅方向の外側に位置し、かつ疎水性のインクを有している。疎水性のインクによって、吸収体よりも幅方向の外側における排泄物の滲み出しを低減することができる。
【先行技術文献】
【特許文献】
【０００３】
【特許文献１】特表２００９−５１２４８９号公報
【発明の概要】
【発明が解決しようとする課題】
【０００４】
特許文献１の吸収性物品では、中間シートの側端部には、疎水性のインクが配置されることによって、中間シートの剛性が高くなり易い。トップシートの側端部は、中間シートの側端部（及び非肌面側シートの側端部）と厚さ方向において接合されており、トップシートの側端部の剛性が高くなる。この場合、トップシートの側端部が着用者の肌に沿って曲がり難くなり、トップシートの側端部、特にトップシートの側端縁（エッジ）が、着用者の太ももと擦れて、肌触りが悪化するという問題があった。
【０００５】
そこで、吸収体よりも幅方向の外側における排泄物の滲み出しを低減しつつ、肌触りの悪化を抑制できる吸収性物品が望まれる。
【課題を解決するための手段】
【０００６】
一態様に係る吸収性物品は、前後方向、前記前後方向に直交する幅方向、及び厚さ方向と、吸収体と、前記吸収体より肌面側に配置されており、着用者の肌に対向するトップシートと、前記吸収体より非肌面側に配置されている非肌側シートと、前記吸収体の前記幅方向の外側縁よりも前記幅方向の外側に設けられており、疎水性を有する外側疎水部と、を有する。前記トップシートは、前記トップシートの両側の側端部が非肌面側に折り返された一対の第１折り返し部を有する。前記一対の第１折り返し部は、接合部によって前記非肌側シートと接合されている。前記一対の第１折り返し部の前記幅方向の先端は、前記接合部の外側縁よりも前記幅方向の内側に位置する。
【図面の簡単な説明】
【０００７】
【図１】図１は、生理用ナプキン１を肌面側から見た模式平面図（その１）である。
【図２】図２は、ナプキン１を非肌面側から見た模式平面図である。
【図３】図３は、図１中のＡ１−Ａ１線におけるナプキン１の概略模式断面図（その１）である。
【図４】図４は、図３に示す概略断面図のうち幅方向Ｗの端部を説明する図である。
【図５】図５は、ナプキン１を肌面側から見た模式平面図（その２）である。
【図６】図６は、図１中のＡ１−Ａ１線におけるナプキン１の概略模式断面図（その２）である。
【図７】図７は、変更例に係るナプキン１を肌面側から見た模式平面図（その１）である。
【図８】図８は、図７中のＡ２−Ａ２矢視で示すナプキン１の概略模式断面図である。
【図９】図９は、変更例に係るナプキン１を肌面側から見た模式平面図（その２）である。
【図１０】図１０は、疎水部が塗布されている側（肌面側又は非肌面側）から見た拡大模式平面図である。
【発明を実施するための形態】
【０００８】
（１）実施形態の概要
本明細書及び添付図面の記載により、少なくとも以下の事項が明らかとなる。
【０００９】
一態様に係る吸収性物品は、前後方向、前記前後方向に直交する幅方向、及び厚さ方向と、吸収体と、前記吸収体より肌面側に配置されており、着用者の肌に対向するトップシートと、前記吸収体より非肌面側に配置されている非肌側シートと、前記吸収体の前記幅方向の外側縁よりも前記幅方向の外側に設けられており、疎水性を有する外側疎水部と、を有する。前記トップシートは、前記トップシートの両側の側端部が非肌面側に折り返された一対の第１折り返し部を有する。前記一対の第１折り返し部は、接合部によって前記非肌側シートと接合されている。前記一対の第１折り返し部の前記幅方向の先端は、前記接合部の外側縁よりも前記幅方向の内側に位置する。
【００１０】
本態様によれば、吸収性物品は、吸収体の外側縁よりも幅方向の外側に設けられている外側疎水部を有するため、親水性である排泄物は、外側疎水部２１０を通過し難く、吸収体よりも幅方向の外側における排泄物の滲み出しを低減できる。また、第１折り返し部の先端は、接合部の外側縁よりも幅方向の内側に位置するため、トップシートの先端（エッジ）が、露出していない。従って、トップシートの先端が、着用者の肌に当たらないため、肌触りの悪化を抑制できる。
【００１１】
好ましい一態様によれば、前記吸収性物品の前記幅方向及び前記厚さ方向に沿った断面において、前記トップシートは、前記幅方向の最も外側の端縁である肌側側端を有してよい。前記外側疎水部の少なくとも一部は、前記肌側側端よりも肌面側に設けられてよい。これにより、吸収体に吸収された排泄物が、着用者の肌（股間）に触れ易い肌面側へ滲み出すことを抑制することができる。排泄物の滲み出しによる着用者の肌触りの悪化を抑制できる。
【００１２】
好ましい一態様によれば、前記吸収性物品の前記幅方向及び前記厚さ方向に沿った断面において、前記トップシートは、前記幅方向の最も外側の端縁である肌側側端を有してよい。前記外側疎水部の少なくとも一部は、前記肌側側端よりも非肌面側に設けられてよい。これにより、吸収体に吸収された排泄物が、着用者の肌（太もも）に触れ易い非肌面側へ滲み出すことを抑制することができる。排泄物の滲み出しによる着用者の肌触りの悪化を抑制できる。
【００１３】
好ましい一態様によれば、前記外側疎水部は、前記トップシートの非肌面側に設けられてよい。これにより、外側疎水部によって、トップシートの肌面側にまで排泄物が拡散することが制限されるため、着用者の肌に触れるトップシートの肌面側から排泄物が滲み出すことを抑制でき、排泄物の滲み出しによる着用者の肌触りの悪化を抑制できる。加えて、トップシートの肌面側には、外側疎水部が設けられていないため、トップシートの肌触りを損なわず、着用者の肌触りの悪化を抑制できる。
【００１４】
好ましい一態様によれば、吸収性物品は、前記トップシートと前記吸収体との間に配置されている中間シートを有してよい。前記外側疎水部は、前記中間シートの肌面側に設けられてよい。これにより、外側疎水部によってトップシートにまで排泄物が拡散することが制限されるため、着用者の肌に触れるトップシートの肌面側から排泄物が滲み出すことを抑制でき、排泄物の滲み出しによる着用者の肌触りの悪化を抑制できる。
【００１５】
好ましい一態様によれば、吸収性物品は、前記トップシートと前記吸収体との間に配置されている中間シートを有してよい。前記外側疎水部は、前記中間シートの非肌面側に設けられてよい。これにより、外側疎水部によってトップシートにまで排泄物が拡散することが制限されるため、着用者の肌に触れるトップシートの肌面側から排泄物が滲み出すことを抑制でき、排泄物の滲み出しによる着用者の肌触りの悪化を抑制できる。加えて、トップシート上で吸収体の外側縁よりも幅方向の外側に拡散した排泄物を中間シートの肌面側まで排泄物を引き込み易くなるため、排泄物による着用者の肌触りの悪化を抑制できる。
【００１６】
好ましい一態様によれば、前記中間シートは、前記中間シートの両側の側端部が非肌面側に折り返された一対の第２折り返し部を有してよい。前記中間シートは、前記吸収性物品の前記幅方向及び前記厚さ方向に沿った断面において、前記中間シートの前記幅方向における最も外側の端縁である中間肌側側端と、前記吸収体の前記外側縁よりも前記幅方向の外側であって、且つ、前記厚さ方向において前記中間肌側側端より肌面側に位置する中間肌面部と、前記吸収体の前記外側縁よりも前記幅方向の外側であって、且つ、前記厚さ方向において前記中間肌側側端より非肌面側に位置する中間非肌面部と、を有してよい。前記外側疎水部は、前記中間肌面部と、前記中間非肌面部とを跨がって設けられてよい。外側疎水部が、中間肌面側と中間非肌面部とに跨がっているため、中間シートよりも幅方向の外側に排泄物が拡散することを制限でき、排泄物の滲み出しを低減できる。
【００１７】
好ましい一態様によれば、前記中間肌面部上に設けられている前記外側疎水部と前記中間非肌面部上に設けられている前記外側疎水部とのうち一方の外側疎水部が、他方の外側疎水部よりも前記幅方向の内側に延びてよい。これにより、一方の外側疎水部を幅方向の内側に延ばすことにより、排泄物が滲み出す領域を低減しつつ、外側疎水部どうしが厚さ方向に重なる領域を減らすことで、剛性が高くなることを抑制し、着用者の肌触りの悪化を抑制できる。
【００１８】
好ましい一態様によれば、吸収性物品は、前記トップシートと前記吸収体との間に配置されている中間シートを有してよい。前記中間シートは、前記中間シートの両側の側端部が非肌面側に折り返された一対の第２折り返し部を有してよい。前記一対の第２折り返し部の前記幅方向の先端は、前記吸収体よりも前記幅方向の外側に配置されてよい。第２折り返し部の先端が、吸収体と接触しないため、吸収体に吸収された排泄物が、第２折り返し部の先端からセカンドシート内を拡散せず、一対の第２折り返し部の先端から吸収体の幅方向の外側へ拡散することを抑制できる。これにより、吸収体よりも幅方向の外側における排泄物の滲み出しを低減できる。
【００１９】
好ましい一態様によれば、吸収性物品は、前側域と、後側域と、前記前側域と前記後側域との間に配置されている中央域と、を有してよい。前記トップシートは、前記幅方向の最も外側の端縁である肌側側端を有してよい。前記吸収体の前記幅方向の側端縁は、前記前側域において最大の幅に位置する前側最大端縁と、前記後側域において最大の幅に位置する後側最大端縁と、前記中央域において最大の幅に位置する中央最大端縁と、を有してよい。前記肌側側端から前記中央最大端縁までの距離は、前記肌側側端から前記前側最大端縁までの距離及び前記肌側側端から前記後側最大端縁までの距離よりも長くてよい。着用者の太ももから幅方向の内側に向かう力が吸収性物品に働いた場合に、着用者の太ももが肌側側端（第１折り返し部）に触れてから、着用者の太ももによって幅方向の内側に押された当該第１折り返し部が、吸収体に当たるまでの距離が長い方が、着用者が、剛性の高い吸収体の感触を感じ難くなり、クッション性が高くなる。そこで、中央域において肌側側端から吸収体の側端縁までの距離を長くすることで、着用者の太ももから最も力を受ける中央域においてクッション性を高めて、着用者の肌触りの悪化を抑制できる。
【００２０】
好ましい一態様によれば、吸収性物品は、前記吸収体の前記幅方向の外側縁よりも前記幅方向の内側に設けられている中央疎水部を有してよい。前記中央疎水部は、前記吸収体よりも肌面側に設けられてよい。前記疎水部は、前記吸収性物品に印刷されたインクが配置されている複数の網点により構成されてよい。前記中央疎水部における前記複数の網点の単位面積当たりの密度は、前記外側疎水部における前記複数の網点の単位面積当たりの密度よりも小さくてよい。中央疎水部では、複数の網点の密度が低いため排泄物の吸水性を確保しつつも、吸収体に吸収された排泄物が肌面側へ液戻りし難くなる。これにより、吸収体の外側縁よりも幅方向の内側においても、吸収体に吸収された排泄物の滲み出しによる着用者の肌触りの悪化を抑制できる。一方で、吸収体よりも幅方向の外側では、肌面側からの吸水性の必要性は低い。従って、外側疎水部では複数の網点の密度を高くして吸収体に吸収された排泄物の滲み出しをさらに抑制して、着用者の肌触りの悪化を抑制できる。
【００２１】
好ましい一態様によれば、吸収性物品は、前記吸収体の前記幅方向の外側縁よりも前記幅方向の内側に設けられている中央疎水部を有してよい。前記中央疎水部は、前記吸収体よりも肌面側に設けられてよい。前記中央疎水部及び前記外側疎水部は、前記吸収性物品に印刷されたインクが配置されている複数の網点により構成されてよい。前記外側疎水部における前記複数の網点の単位面積当たりの密度は、前記中央疎水部における前記複数の網点の単位面積当たりの密度よりも小さくてよい。外側疎水部では、複数の網点の密度が低いため、外側疎水部が設けられても剛性が高くなりすぎず、吸収体の外側縁よりも幅方向の外側の部分が着用者の肌に沿って曲がり難くなることを抑制できる。着用者の肌触りの悪化を抑制できる。一方で、中央疎水部では、吸収体に吸収された排泄物が肌面側へ液戻りし難くなり、吸収体に吸収された排泄物の滲み出しによる着用者の肌触りの悪化を抑制できる。
【００２２】
好ましい一態様によれば、吸収性物品は、前記吸収体の前記幅方向の外側縁よりも前記幅方向の内側に設けられている中央疎水部を有してよい。前記中央疎水部は、前記吸収体よりも肌面側に設けられてよい。前記吸収体は、液体吸収性繊維の集合体からなる吸収コアを有してよい。前記幅方向における前記中央疎水部と前記外側疎水部との間には、前記トップシートと前記吸収コアとが前記厚さ方向に圧搾された圧搾部が設けられてよい。中央疎水部が設けられている場合、中央疎水部が設けられていない場合と比べて、中央疎水部を通過して吸収体にまで到達する排泄物が減少するものの、中央疎水部を通過しなかった排泄物は、幅方向へ移動し、圧搾部へ到達する。排泄物は、圧搾部において吸収コアまで引き込まれるため、排泄物の吸収性を維持することができる。加えて、吸収コア内で排泄物が幅方向に拡散しても、中央疎水部及び外側疎水部が設けられているため、吸収体に吸収された排泄物が、中央疎水部及び外側疎水部を超えて肌面側へ液戻りし難くなる。従って、吸収体に吸収された排泄物の滲み出しによる着用者の肌触りの悪化を抑制できる。
【００２３】
好ましい一態様によれば、前記吸収体の前記外側縁よりも前記幅方向の外側において、前記トップシートどうしが、接合されていなくてよい。トップシートどうしが接合されている場合、接合されているトップシートの部分は、剛性が高くなり、着用者の肌に沿って曲がり難くなる。そこで、吸収体の外側縁よりも幅方向の外側において、トップシートどうしを接合しないことによって、トップシートの剛性が高くならずに、着用者の肌触りを向上できる。
【００２４】
好ましい一態様によれば、吸収性物品は、前記トップシートと前記非肌側シートとを接合する接合部を有してよい。前記接合部は、前記外側疎水部と当接しない位置に配置されてよい。接合部と外側疎水部とが当接する場合には、接合強度が低下することがある。そこで、接合部が外側疎水部と当接しない位置に配置することにより、トップシートと非肌側シートとの接合強度の低下を抑制でき、トップシートと非肌側シートとの間から排泄物が滲み出すことを抑制できる。
【００２５】
好ましい一態様によれば、吸収性物品は、前側域と、後側域と、前記前側域と前記後側域との間に配置されている中央域と、前記中央域において、前記吸収体の前記幅方向の外側縁よりも前記幅方向の内側に設けられており、疎水性を有する中央疎水部と、を有してよい。前記吸収体よりも肌面側に配置されており且つ前記中央疎水部が設けられているシートにおいて、前記中央疎水部と重なる部分の最大厚さは、前記中央疎水部よりも前記幅方向の外側の部分の最大厚さよりも薄くてよい。中央疎水部と重なる部分の最大厚さを薄くすることにより、中央疎水部は、疎水性を有することにより、通気性の悪化を招き易いため、着用者の肌から中央疎水部を遠ざけることで、通気性を維持することができる。一方で、中央疎水部よりも幅方向の外側の部分の最大厚さを厚くすることにより、着用者の肌にトップシートが当接し易くなり、中央疎水部よりも幅方向の外側へ移動する排泄物を吸収し易くなる。
【００２６】
本明細書において、「疎水性」とは、水となじみ難い或いは水分を保持し難い性質を意味し、例えば、イオン交換水との接触角が８０°〜１００°程度となるものをいう。なお、イオン交換水との接触角は、特開２００５−３２４０１０号公報における「初期接触角の測定」に記載された方法により測定することができる。
【００２７】
（２）吸収性物品の全体概略構成
以下、本発明に係る吸収性物品として生理用ナプキンを例に挙げて実施形態を説明するが、生理用ナプキンに限らず、パンティーライナー、又は軽失禁用パッド等のように、吸収性物品であればよい。吸収性物品は、使用者の着用物品に固定して使用するものであってよい。
【００２８】
図１は、生理用ナプキン１（以下「ナプキン」という）を肌面側から見た模式平面図（その１）である。図２は、ナプキン１を非肌面側から見た模式平面図である。図３は、図１中のＡ１−Ａ１線におけるナプキン１の概略模式断面図（その１）である。図４は、図３に示す概略断面図のうち幅方向Ｗの端部を説明する図である。図５は、ナプキン１を肌面側から見た模式平面図（その２）である。図５では、機能性材料が配置（塗布）されている機能領域Ｒ３を斜線で明示的に示している。図６は、図１中のＡ１−Ａ１線におけるナプキン１の概略模式断面図（その２）である。なお、図１及び図５において、ウイング粘着部９が示されているが、ウイング粘着部９は、バックシート４の非肌面側Ｔ２に配置されていることに留意すべきである。図３、図４、図６において、各方向についての寸法は必ずしも正確ではない。さらに、便宜上、図４及び図６において、本体接合部５ａを除く接着剤ＨＭＡは省略している。
【００２９】
図１に示すように、ナプキン１は、前後方向Ｌ及び前後方向に直交する幅方向Ｗを有する。前後方向Ｌは、身体前側と身体後側とに延びる方向によって規定される。言い換えると、前後方向Ｌは、展開されたナプキン１において前後に延びる方向である。また、ナプキン１は、前後方向Ｌと幅方向Ｗの両方の直交する厚さ方向Ｔを有する。
【００３０】
ナプキン１の前後方向Ｌにおいて、着用者の下腹部に当接する側を「前側」といい、着用者の臀部に当接する側を「後側」という。また、ナプキン１の厚さ方向Ｔにおいて、着用者の肌に当接する側を「肌面側」Ｔ１といい、その反対側（着用者の肌とは反対に向けられる側）を「非肌面側」Ｔ２という。図中のＸ−Ｘ線は幅方向Ｗにおける中心線である。
【００３１】
ナプキン１は、中央域Ｓ３、前側域Ｓ１及び後側域Ｓ２を有する。中央域Ｓ３は、一対のウイング１Ｗが配置されている領域である。従って、中央域Ｓ３は、ナプキン１を着用物品へ留めるウイング１Ｗが設けられる領域である。また、中央域Ｓ３は、着用者の排泄口（例えば膣口）に当接する排泄口当接部を有してよい。ナプキン１が着用物品（例えば、下着）に装着されたときに、中央域Ｓ３は、着用物品の股下部に位置してよい。従って、中央域は、着用者の股下、すなわち着用者の両足（太もも）の間に配置される領域である。前側域Ｓ１は、中央域Ｓ３よりも前側に位置する。後側域Ｓ２は、中央域Ｓ３よりも後側に位置する。
【００３２】
ナプキン１は、一対のウイング１Ｗを有している。一対のウイング１Ｗは、幅方向Ｗにおける吸収体１０（吸収コア）の外側縁１０Ｅよりも幅方向の外側に延出している。従って、前後方向Ｌの中央部から幅方向Ｗの両外側に延出している。また、一対のウイング１Ｗは、ナプキン１が使用される際に折り返し可能である。
【００３３】
なお、本明細書において、外側縁は、幅方向Ｗにおける外側端であり、内側縁は、幅方向Ｗにおける内側端である。
【００３４】
ナプキン１は、トップシート２、セカンドシート３、吸収体１０、バックシート４、及びサイドシート５を有している。
【００３５】
図３に示すように、厚さ方向Ｔにおいて、トップシート２、セカンドシート３、吸収体１０、サイドシート５及びバックシート４が積層されている。トップシート２、セカンドシート３、吸収体１０、バックシート４及びサイドシート５は、接合部によって接合固定されている。接合部として、ホットメルト接着剤等の接着剤ＨＭＡを用いることができる。接着剤は、各部材の肌面側Ｔ１及び非肌面側Ｔ２のそれぞれに亘って任意の塗布パターンで塗布されており、Ωパターンやスパイラルパターン、ストライプパターン等の塗布パターンから選択することができる。接合部として、他の部材（例えば、ソニックシールなど）が用いられてもよい。
【００３６】
トップシート２は、吸収体１０より肌面側Ｔ１に配置されており、着用者の肌に対向する。トップシート２は、着用状態において、その大部分が着用者の肌に当接する「肌側シート」であってよい。
【００３７】
トップシート２は、不織布、織布、有孔プラスチックシート、メッシュシート等、液体を透過する構造を有する任意のシート状の材料から構成されてよい。織布や不織布の素材としては、天然繊維、化学繊維のいずれも使用できる。トップシート２として用いられる不織布は、エアスルー不織布又はスパンボンド不織布であることが好ましい。
【００３８】
また、トップシート２は、疎水性の熱可塑性の合成樹脂フィルムであってよい。例えば、ポリエチレン（ＰＥ）やポリプロピレン（ＰＰ）のシート部材であってよい。この場合、トップシート２は、厚さ方向Ｔに貫通した略円形状の複数の貫通孔を複数有している。貫通孔を設けることで、着用中に膣口から排出された排泄物が貫通孔から吸収体１０へ移動させやすくなり、トップシート２の肌側面で排泄物が広がってしまう恐れを軽減させる。なお、トップシート２に親水処理が行われたとしても、この疎水性の状態が担保されてもよい。
【００３９】
セカンドシート３は、トップシート２と吸収体１０との間に配置された「中間シート」である。セカンドシート３は、液透過性のシート部材であり、エアスルー不織布、スパンボンド不織布等を例示できる。
【００４０】
本実施形態では、トップシート２とセカンドシート３は、接着剤ＨＭＡによって接着された一体の状態で、吸収体１０を幅方向Ｗの端部を包むように巻き込んでいる。トップシート２は、吸収体１０の非肌面側において、吸収体接合部１０ａで接着剤ＨＭＡによって接合固定されている。トップシート２、セカンドシート３及び吸収体１０が一体となった吸収性本体１００が構成されている。なお、各部材同士を接合固定する接着剤ＨＭＡにおいて、全領域に接着剤を塗布する必要はない。特に、トップシート２とセカンドシート３との間の接着剤ＨＭＡとして塗布する接着剤の量や領域、塗布パターンを調整することで、吸収性本体１００のうち、後述の一対の本体接合部５ａより幅方向Ｗの外側の柔軟性を確保することができ、肌触りを向上させることができる。
【００４１】
本体接合部５ａは、吸収性本体１００と非肌側シートとを接合する。本実施形態では、吸収性本体１００の非肌面側の面と、サイドシート５の肌面側の面とを本体接合部５ａでホットメルト等の接着剤を用いて接合している。図１に示すように、本体接合部５ａは、前後方向Ｌに沿った連続形状である。本体接合部５ａは、幅方向Ｗの両側の端部に、ナプキン１の幅方向Ｗの中心線Ｘ−Ｘ線について対称な位置に配置されている。本実施形態において、サイドシート５を非肌側シートとして説明するが、バックシート４を非肌側シートとしてもよいし、バックシート４とサイドシート５とを合わせたものを非肌側シートとしてもよい。また、バックシート４やサイドシート５とは異なる別のシート部材を配置して、トップシート２の幅方向Ｗの先端２ｈｅを含む端部と接合してもよい。
【００４２】
図４に示すように、ナプキン１の幅方向Ｗ及び厚さ方向Ｔに沿った断面において、トップシート２の幅方向Ｗにおける最も外側の端縁が、肌側側端２ｅである。肌側側端２ｅから幅方向Ｗに沿った直線が、吸収体１０の中心１０ｃを通ってよい。トップシート２は、幅方向Ｗの両側の側端部が非肌面側Ｔ２に折り返された一対の第１折り返し部２ｈを有する。肌側側端２ｅは、第１折り返し部２ｈの幅方向Ｗの最も外側の端でもある。一対の第１折り返し部２ｈは、本体接合部５ａによってサイドシート５と接合されている。一対の第１折り返し部２ｈの幅方向の先端２ｈｅは、本体接合部５ａの外側縁５ｅよりも幅方向Ｗの内側に位置している。これにより、トップシート２（第１折り返し部２ｈ）の先端２ｈｅ（エッジ）が、露出していない。従って、トップシート２の先端２ｈｅが、着用者の肌に当たらないため、肌触りの悪化を抑制できる。
【００４３】
トップシート２のうち、吸収体１０より幅方向Ｗにおいて外側で、且つ、厚さ方向Ｔにおいて肌側側端２ｅより肌面側Ｔ１の部分は、肌面部２ｓである。トップシート２のうち、吸収体１０より外側で、且つ、厚さ方向Ｔにおいて肌側側端２ｅより非肌面側Ｔ２の部分は、非肌面部２ｕである。なお、第１折り返し部２ｈは、第１折り返し部２ｈが折り返される起点である折れ起点（折れ開始点）ＦＬから先端２ｈｅまでの部分である。折れ起点ＦＬは、前後方向Ｌに延びている。トップシート２の幅方向Ｗの中央から折れ起点ＦＬまでの領域は、トップシート２が折り返されていない非折り返し領域Ｎである。なお、トップシート２の幅方向Ｗの先端２ｈｅは、第１折り返し部２ｈの幅方向Ｗの内側に延びた端部の先端である。従って、トップシート２の幅方向Ｗの先端２ｈｅは、トップシート２が折り返された部分のうち幅方向Ｗの内側に延びる端部の内端縁である。
【００４４】
図４に示すように、セカンドシート３の幅方向Ｗにおける最も外側の端縁は、中間側端３ｅである。中間側端３ｅから幅方向Ｗに沿った直線は、肌側側端２ｅを通ってよく、吸収体１０の中心１０ｃを通ってよい。セカンドシート３は、幅方向Ｗの両側の側端部が非肌面側Ｔ２に折り返された一対の第２折り返し部３ｈを有してよい。中間側端３ｅは、第２折り返し部３ｈの幅方向Ｗの最も外側の端でもある。前後方向Ｌにおけるトップシート２とセカンドシート３との長さは略同じであってよい。また、吸収性本体１００の状態からトップシート２とセカンドシート３をそれぞれ展開した状態において、幅方向Ｗの長さは、セカンドシート３の方がトップシート２より短くてよい。
【００４５】
図４に示すように、一対の第２折り返し部３ｈの幅方向の先端３ｈｅは、吸収体１０よりも幅方向Ｗの外側に配置されてよい。これにより、第２折り返し部３ｈの先端３ｈｅが、吸収体１０に接触しないため、吸収体１０に吸収された排泄物が、第２折り返し部３ｈの先端３ｈｅからセカンドシート３内を拡散せず、吸収体１０の幅方向Ｗの外側へ拡散することを抑制できる。これにより、吸収体よりも幅方向の外側における排泄物の滲み出しを低減できる。
【００４６】
吸収性本体１００の状態において、第２折り返し部３ｈの先端３ｈｅは、本体接合部５ａの一部と厚さ方向Ｔで重なってよい。第２折り返し部３ｈの先端３ｈｅは、本体接合部５ａの外側の外側縁５ｅより幅方向Ｗの内側に位置してよい。
【００４７】
セカンドシート３のうち、吸収体１０より幅方向Ｗにおいて外側で、且つ、厚さ方向Ｔにおいて肌側側端２ｅより肌面側Ｔ１の部分は、中間肌面部３ｓである。セカンドシート３のうち、吸収体１０より外側で、且つ、厚さ方向Ｔにおいて肌側側端２ｅより非肌面側Ｔ２の部分は、非肌面部２ｕである。なお、第２折り返し部３ｈは、幅方向Ｗに延びる折れ起点ＦＬから先端３ｈｅまでの部分である。
【００４８】
バックシート４は、液不透過性のシート部材であり、ポリエチレン（ＰＥ）の樹脂フィルム等を例示できる。バックシート４は、平面サイズが吸収体１０より大きく、吸収体１０の平面全体を覆っている。サイドシート５は、疎水性のシート部材であり、エアスルー不織布、スパンボンド不織布等を例示できる。バックシート４及びサイドシート５は、一体となったトップシート２、セカンドシート３及び吸収体１０より非肌面側Ｔ２に位置している。なお、本実施形態では、上述した通り、セカンドシート３を非肌側シートとして説明している。非肌側シートは、吸収体１０よりも非肌面側に配置されているシートである。
【００４９】
本実施形態では、ウイング１Ｗは、トップシート２等の幅方向Ｗの両側部から外側に延出しているバックシート４及びサイドシート５によって形成されている。なお、ナプキン１がウイング１Ｗを有さない形態であってもよい。
【００５０】
ナプキン１の非肌側面（つまり、バックシート４の非肌側面）には、接着剤が塗布される等した中央粘着部８が設けられてよい。中央粘着部８は、図２では前後方向Ｌに長辺を有する長方形状の１０個の中央粘着部８が幅方向Ｗに間隔を空けて配置されているが、中央粘着部８の形状、数、及び配置はこれに限られない。中央粘着部８がナプキン１の使用時に下着等の着用物品の肌側面に貼り付けられることで、ナプキン１は下着等に固定される。
【００５１】
同様に、各ウイング１Ｗの厚さ方向Ｔの非肌側面（バックシート４の非肌面側Ｔ２）には、ウイング粘着部９が設けられている。ウイング粘着部９は、図２では、前後方向Ｌに長辺を有する長方形状のウイング粘着部９が配置されているが、ウイング粘着部９の形状、数、及び配置はこれに限られない。ナプキン１の使用時にウイング１Ｗは非肌側に折り曲げられ、ウイング粘着部９は、下着等の非肌側面に張り付けられる。これにより、ウイング１Ｗは下着等に固定される。
【００５２】
吸収体１０は、排泄物を吸収して内部に保持する部材である。本実施形態では、図３、図４、図６に示すように、吸収体１０は、吸収コア１１と、吸収性ポリマーシート１２と、カバーシート１３と、を有している。吸収体１０では、肌面側Ｔ１に吸収コア１１が配置され、非肌面側Ｔ２に吸収性ポリマーシート１２が配置されている。また、図１に示すように、吸収コア１１の幅方向Ｗの長さは、吸収性ポリマーシート１２の幅方向Ｗの長さより長くてよい。吸収コア１１の前後方向Ｌの長さは、吸収性ポリマーシート１２の前後方向Ｌの長さより長くてよい。
【００５３】
吸収コア１１は、液体吸収性繊維を所定の形状に成形した集合体により構成されている。集合体の液体吸収性繊維としては、パルプ繊維やセルロース系吸収性繊維等を例示することができる。カバーシート１３は、集合体の非肌側に配置されている。カバーシート１３は、液透過性のシート部材であり、エアスルー不織布、スパンボンド不織布等を例示できる。吸収コア１１は、カバーシート１３に、ホットメルト等の接着剤で固定されている。カバーシート１３は、吸収コア１１の前後方向Ｌの長さと略同じで、且つ、吸収コア１１の幅方向Ｗの長さと略同じであることが好ましい。本実施形態において、吸収コア１１は、平面視で略砂時計形状に形成されている。吸収コア１１は、前後方向Ｌの中央部に括れを有する形状である。なお、吸収コア１１の形状はこれに限られない。長方形等の所定の形状の吸収コア１１を用いることができる。
【００５４】
なお、図３に示すように、吸収コア１１の肌側面に液体透過性のティッシュ等のシートを配置しなくてよい。集合体の液体吸収性繊維が、セカンドシート３に当接していてよい。一般的にティッシュ等の液体透過性シートにおいて液体は平面方向へ拡散しやすいため、吸収コア１１の肌側面に液体透過性シートを配置しないことで、着用者の膣口に当接する股間部位で吸収した排泄物が吸収コア１１の肌側面で拡散してしまって、ナプキン１の幅方向Ｗの外側から排泄物が漏れてしまう恐れを軽減させることができる。
【００５５】
吸収性ポリマーシート１２は、液体吸収性粒状物である高吸収性ポリマー１２１（所謂ＳＡＰ）等を肌側面及び非肌側面からそれぞれティッシュ等の液体透過性シート１２２で挟んだシート状の部材であってよい。
【００５６】
図３等に示すように、吸収性本体１００のうち、一対の本体接合部５ａより幅方向Ｗの外側は、サイドシート５に固定されていない。そのため、ウイング１Ｗが着用物品に固定された場合でも、着用状態において、着用者の身体に当接する状態とすることができる。これによって、着用者は、ウイング１Ｗ、つまり、ナプキン１を着用物品に固定しつつも、吸収性本体１００を着用者の股間及び太ももの動きに追従させやすくなるため、ナプキン１の装着性を向上させることができる。
【００５７】
また、ナプキン１は、吸収性本体１００の幅方向Ｗの端部において排泄物が到達してしまう恐れを軽減させるために、疎水性の樹脂シートをトップシート２として用いてよい。疎水性の樹脂シートは、平面的に排泄物が拡散してしまうことを防ぎつつ、排泄物を、トップシート２に設けられた複数の貫通孔から厚さ方向Ｔの吸収体１０に向かって落下させ、吸収体１０に厚さ方向Ｔへ移動させやすくしている。これによって、排泄物をより早く吸収体１０で排泄物を留めさせやすくすることができる。
【００５８】
ナプキン１は、疎水性を有する疎水部２００を有する。疎水部２００を構成する材料として、疎水性及び／又は非水溶性の材料が挙げられ、例えば、疎水性インク、油剤などを例示できる。疎水部２００は、ナプキン１を構成する部材に塗布されることにより設けることができる。例えば、疎水部２００は、印刷によって設けられて（配置されて）よい。これにより、疎水部２００を容易に設けることができるため、疎水部２００にを設けることによる生産コストが増加することを抑制できる。
【００５９】
なお、疎水部２００を印刷する方法は、フレキソ印刷であってもよいし、グラビア印刷であってもよい。着色されている材料（例えば、疎水性のインク）が疎水部２００を構成する材料として用いられる場合には、疎水部２００は、着色されていてもよい。
【００６０】
疎水部２００を構成する材料は、紫外線（ＵＶ）が照射されることにより硬化する材料であってよい。これにより、疎水部２００を、例えば、印刷により塗布した後に、ＵＶを照射することで、短時間で硬化する。これにより、ナプキン１の製造時において、疎水部２００が乾かずに、意図しない他の部材に疎水部２００が設けられて、吸収性能が低下することを抑制できる。
【００６１】
なお、疎水部２００は、ナプキン１を構成する部材の肌面上又は非肌面上に設けられる場合、疎水部２００は、当該部材の肌面上又は非肌面上に存在してもよく、ナプキン１を構成する部材の内部に染みこむことにより、ナプキン１を構成する部材の肌面側（の内部）又は非肌面側（の内部）に存在してよい。本実施形態では、図６に示すように、疎水部２００は、セカンドシート３の非肌面側Ｔ２に配置されている。なお、図４に示すように、疎水部２００が設けられているシート（セカンドシート３）が折り返されている部分（第２折り返し部３ｈ）では、疎水部２００は、肌面側Ｔ１に配置されてよい。
【００６２】
疎水部２００は、外側疎水部２１０と、中央疎水部２２０と、を有する。外側疎水部２１０は、吸収体１０の幅方向Ｗの外側縁１０Ｅよりも幅方向Ｗの外側に設けられている。これにより、排泄物は、親水性であり、外側疎水部２１０を通過し難いため、吸収体１０の幅方向Ｗの外側における排泄物の滲み出しを低減できる。
【００６３】
中央疎水部２２０は、吸収体１０（吸収コア１１）の幅方向Ｗの外側縁１０Ｅよりも幅方向Ｗの内側に設けられている。中央疎水部２２０は、トップシート２と吸収コア１１との間に配置されている。本実施形態では、図６に示すように、中央疎水部２２０は、セカンドシート３の肌面側Ｔ１に配置されている。
【００６４】
図１に示すように、ナプキン１の平面視において、疎水部２００が配置されていない領域は、非疎水領域Ｒ１であり、疎水部２００が配置されている領域は、疎水領域Ｒ２である。疎水領域Ｒ２のうち、外側疎水部２１０が配置されている領域は、外側疎水領域Ｒ２１であり、中央疎水部２２０が配置されている領域は、中央疎水領域Ｒ２２である。
【００６５】
また、ナプキン１は、厚さ方向Ｔにおいてトップシート２と吸収コア１１との間に配置されている機能性材料を有する。機能性材料は、機能性材料が揮発することにより効果が得られるものであってもよい。例えば、このような機能性材料として、冷感剤及び香料などの揮発性物質が挙げられる。
【００６６】
冷感剤は、例えば、皮膚の神経にある受容体活性化チャネル（ＴＲＰＭ８）に作用するものであってよい。このような冷感剤として、例えば、メントール（例えば、ｌ−メントール）及びその誘導体（例えば、乳酸メンチル）、サリチル酸メチル、カンファー、キュウリエキス、植物（例えば、ミント、ユーカリ、ナツメグ）由来の精油等が挙げられる。また、冷感剤は、気化熱により周囲の温度を下げるものであってもよい。このような冷感剤として、例えば、アルコール、例えば、メタノール及びエタノールが挙げられる。これらの１種を単独で又は２種以上を組み合わせて用いることができる。
【００６７】
香料は、通常吸収性物品に使用されているものを使用することができ、沸点が約２５０℃以下の高揮発性のもの、又は沸点が約２５０〜約３００℃の中揮発性のものが好ましく用いられる。また長時間の効果を保持するという観点から、香料として複数の沸点を有する物質を使うことが好ましい。
【００６８】
また、機能性材料は、排泄物（経血、尿など）と接触することにより効果が得られるものであってよい。例えば、このような機能性材料として、抗菌作用を有する抗菌剤、消臭作用を有する消臭剤などが挙げられる。なお、消臭剤は、揮発性を有してよい。
【００６９】
抗菌剤として、ピロクトンオラミン（別名ピロクトンエタノールアミン）等のヒドロキサム酸誘導体、ピロミド酸、ピペミド酸、シノキサシン等のピリドンカルボン酸誘導体、セチルリン酸ベンザルコニウム等の四級アンモニウム化合物が挙げられ、これらの１種を単独で又は２種以上を組み合わせて用いることができる。
【００７０】
消臭剤としては、公知の材料を用いることができ、例えば、活性炭、ゼオライト、シリカゲル、アルミナ、多孔質ガラスなどが挙げられ、これらの１種を単独で又は２種以上を組み合わせて用いることができる。
【００７１】
図５に示すように、機能部３００は、前後方向Ｌに沿って配置されている。機能部３００は、ナプキン１の前端縁まで配置されてよく、ナプキン１の後端縁まで配置されてよい。機能部３００は、冷感剤である場合、冷感効果を高めるために、ナプキン１の前端縁から後端縁まで連続的に配置されてよい。
【００７２】
ナプキン１の平面視において、機能性材料からなる機能部３００が配置されている領域が、機能領域Ｒ３である。機能性材料は、疎水部２００と厚さ方向Ｔにおいて重なる重複領域Ｒ３２と、疎水部２００と厚さ方向Ｔにおいて重ならない非重複領域Ｒ３１と、の両方に配置されている。後述するように、重複領域Ｒ３２と非重複領域Ｒ３１とで機能性材料が効果を発揮する時間がずれるため、機能性材料の効果の持続時間を向上することができる。
【００７３】
吸収体１０に対して厚さ方向Ｔに力を加えた場合、例えば、着用中において、着用者が座った状態等、着用者の体圧をナプキン１の厚さ方向Ｔに対して加えた場合において、吸収体１０が押し潰されて、吸収体１０に留められた排泄物がナプキン１の幅方向Ｗの外側に漏れてしまわないように、以下の構成を有してよい。
【００７４】
図１中のＹ−Ｙは、ウイング１Ｗの前後方向Ｌにおけるウイング中央Ｙ−Ｙであり、幅方向Ｗにおける、吸収体１０の側端縁１１ｅと第１折り返し部２ｈの肌側側端２ｅとの距離が最も長い部分である。なお、吸収コア１１の幅方向Ｗの長さが、吸収性ポリマーシート１２の幅方向Ｗの長さより長いことから、吸収体１０の側端縁とは、吸収コア１１の幅方向Ｗの側端縁１１ｅである。
【００７５】
図４等に示すように、ナプキン１の断面において、一対の本体接合部５ａの幅方向Ｗの外側の外側縁５ｅが、吸収コア１１の側端縁１１ｅより幅方向Ｗの外側に配置されている。このとき、第２折り返し部３ｈを有するセカンドシート３が吸収コア１１の端部の側面の全域を覆っている。なお、吸収コア１１の側部とは、吸収コア１１の幅方向Ｗにおける側部をいい、セカンドシート３が吸収コア１１の幅方向Ｗの端部の側面の全域を覆っている。ただし、セカンドシート３が吸収コア１１の前後方向Ｌの端部の側面を覆っていてもよい。
【００７６】
また、図１に示すように、吸収性ポリマーシート１２の幅方向Ｗの長さが、吸収コア１１の幅方向Ｗの長さより短くてよい。これにより、ナプキン１の幅方向Ｗの外側に排泄物が漏れてしまう恐れをより軽減させることができる。吸収性ポリマーシート１２のように、ティッシュ等の液体透過性シート１２２で高吸収性ポリマー１２１を挟んでいる場合、液体透過性シート１２２によって幅方向Ｗの外側に排泄物が拡散してしまう恐れがある。このような場合においても、吸収性ポリマーシート１２が備える液体透過性シート１２２より幅方向Ｗの長さが長い吸収コア１１を備えることで、吸収コア１１が吸収性ポリマーシート１２の幅方向Ｗの外側に到達した排泄物を吸収コア１１が吸収することができるため、ナプキン１の幅方向Ｗの外側に排泄物が漏れてしまう恐れを軽減させることができる。
【００７７】
さらに、吸収性ポリマーシート１２の幅方向Ｗの長さが、吸収コア１１の幅方向Ｗの長さより短いことで、ナプキン１の肌側面に排泄物が存在する状態を軽減させやすくすることができる。一般的に、吸収コア１１と吸収性ポリマーシート１２を有する吸収体１０が排泄物を吸収した状態においては、液体吸収性繊維を備えた吸収コア１１より高吸収性ポリマーを備えた吸収性ポリマーシートの方がより多くの排泄物を貯留した状態であること場合が多い。このような吸収体１０に対して厚さ方向Ｔに力を加えると、吸収性ポリマーシート１２に留められた排泄物が肌側面に移動してしまう恐れがある。この点、吸収性ポリマーシート１２より幅方向Ｗの長さが広い吸収コア１１が肌側に設けられていることで、吸収性ポリマーシート１２から肌面側Ｔ１に移動した排泄物を吸収コア１１が吸収して、トップシート２の肌側面まで到達しづらくさせることができる。これによって、トップシート２に表面に排泄物が存在する状態を軽減させやすくなるため、着用者が着用中に肌で感じるべたつき等の不快感を軽減させやすくなる。
【００７８】
図１に示すように、ナプキン１は、少なくともトップシート２と吸収コア１１とが厚さ方向Ｔに圧搾された圧搾部Ｅを有してよい。本実施形態では、圧搾部Ｅは、トップシート２、セカンドシート３、及び吸収コア１１を厚さ方向Ｔに圧搾した圧搾部である。圧搾部Ｅは、それぞれの部材における繊維の密度が、圧搾をしていない部分より高くなっている。そのため、圧搾部Ｅに到達した排泄物が、毛細管現状によって、厚さ方向Ｔに移動されやすくなる。つまり、ナプキン１のうち、着用者の膣口に当接する部分で吸収した排泄物が幅方向Ｗに拡散されて、圧搾部Ｅに到達すると、吸収コア１１まで厚さ方向Ｔに排泄物を移動させやすくなる。また、圧搾部Ｅが前後方向Ｌに延びている場合には、排泄物が圧搾部Ｅに沿って拡散しやすくなる。一方、吸収性ポリマーシート１２が、厚さ方向Ｔに圧搾されていないことで、圧搾によって吸収性ポリマーが潰れて硬くなってしまう恐れを軽減し、吸収コア１１から移行された排泄物を素早く吸収することができる。
【００７９】
圧搾部Ｅは、一対の内側圧搾部Ｅ１と、一対の外側圧搾部Ｅ２とを有してよい。一対の内側圧搾部Ｅ１は、中央域Ｓ３において、前後方向Ｌに延びている。ナプキン１の平面視において、一対の内側圧搾部Ｅ１は、前側において幅方向Ｗの内側に向かって延びている。一対の内側圧搾部Ｅ１は、前側域Ｓ１において繋がっている。同様に、一対の内側圧搾部Ｅ１は、後側において幅方向Ｗの内側に向かって延びている。一対の内側圧搾部Ｅ１は、後側域Ｓ２において繋がっている。従って、本実施形態では、内側圧搾部Ｅ１は、ナプキン１の平面視において、環状である。
【００８０】
一対の外側圧搾部Ｅ２は、一対の内側圧搾部Ｅ１よりも幅方向Ｗの外側に配置されている。中央域Ｓ３において、前後方向Ｌに延びている。ナプキン１の平面視において、一対の外側圧搾部Ｅ２は、前側において幅方向Ｗの内側に向かって延びている。一対の外側圧搾部Ｅ２は、前側域Ｓ１において繋がっている。同様に、一対の外側圧搾部Ｅ２は、後側において幅方向Ｗの内側に向かって延びている。一対の外側圧搾部Ｅ２は、後側域Ｓ２において繋がっている。従って、本実施形態では、外側圧搾部Ｅ２は、ナプキン１の平面視において、環状である。また、ナプキン１の平面視において、一対の外側圧搾部Ｅ２は、内側圧搾部Ｅ１の周囲を囲んでいる。
【００８１】
また、図４に示すように、肌側側端２ｅよりも本体接合部５ａの外側縁５ｅが幅方向Ｗの内側に位置してよい。これにより、吸収性本体１００（第１折り返し部２ｈ）が柔軟に動く量が増加するため、着用者への肌当たりも向上する。また、肌側側端２ｅから本体接合部５ａの外側縁５ｅまでの距離Ｄ５１は、本体接合部５ａの外側縁５ｅから吸収体１０の外側縁１０Ｅ（図４では、吸収コア１１の外側縁１１Ｅ）までの距離Ｄ５２よりも長くてよい。これにより、吸収性本体１００を着用者の身体の動きに沿い易くさせることができる。つまり、吸収性本体１００において、柔らかい領域をより広くさせることで、吸収性本体１００が柔軟に動きやすくなり、着用者への肌当たりも向上する。
【００８２】
また、吸収体１０の外側縁１０Ｅは、本体接合部５ａの外側縁５ｅよりも幅方向Ｗの内側へ位置してもよい。着用者の太ももから幅方向Ｗの内側に向かう力がナプキン１に働いた場合に、着用者の太ももが第１折り返し部２ｈに触れてから、着用者の太ももによって幅方向の内側に押された当該第１折り返し部２ｈが、吸収体１０に当たるまでの距離が長い方が、着用者が、剛性の高い吸収体の感触を感じ難くなり、クッション性が高くなる。このため、第１折り返し部２ｈから吸収体の側端縁までの距離を長くすることで、クッション性を高めて、着用者の肌触りの悪化を抑制できる。
【００８３】
また、肌側側端２ｅから吸収体１０の外側縁１０Ｅまでの距離Ｄ１０は、距離Ｄ５１よりも長くてよい。これにより、吸収体１０に当たるまでの距離が長くなり、クッション性が高くなるため、着用者の肌触りの悪化を抑制できる。
【００８４】
また、図１に示すように、吸収体１０の外側縁１０Ｅは、前側最大端縁１０Ｅ１と、後側最大端縁１０Ｅ２と、中央最大端縁１０Ｅ３と、を有する。前側最大端縁１０Ｅ１は、前側域Ｓ１において最大の幅に位置する端縁である。後側最大端縁１０Ｅ２は、後側域Ｓ２において最大の幅に位置する端縁である。中央最大端縁１０Ｅ３は、中央域Ｓ３において最大の幅に位置する端縁である。
【００８５】
肌側側端２ｅから中央最大端縁１０Ｅ３までの距離Ｄ１３は、肌側側端２ｅから前側最大端縁１０Ｅ１までの距離Ｄ１１及び肌側側端２ｅから後側最大端縁１０Ｅ２までの距離Ｄ１２よりも長い。これにより、距離Ｄ１３を長くすることで、着用者の太ももから最も力を受ける中央域Ｓ３においてクッション性を高めて、着用者の肌触りの悪化を抑制できる。
【００８６】
（３）疎水部２００
次に、疎水部２００について、図１から図６を用いて説明する。本実施形態では、図４、図６に示すように、疎水部２００は、セカンドシート３の非肌面側Ｔ２に設けられている。
【００８７】
まずは、外側疎水部２１０を中心に説明する。図４及び図６に示すように、外側疎水部２１０は、セカンドシート３の非肌面側Ｔ２に設けられている。これにより、外側疎水部２１０によってトップシート２にまで排泄物が拡散することが制限されるため、着用者の肌に触れるトップシート２の肌面側Ｔ１から排泄物が滲み出すことを抑制でき、排泄物の滲み出しによる着用者の肌触りの悪化を抑制できる。加えて、トップシート２上で吸収体１０の外側縁１０Ｅよりも幅方向Ｗの外側に拡散した排泄物をセカンドシート３の肌面側Ｔ１まで排泄物を引き込み易くなるため、排泄物による着用者の肌触りの悪化を抑制できる。
【００８８】
中間肌面部３ｓ上に設けられている第１外側疎水部２１０ｓは、肌側側端２ｅよりも肌面側Ｔ１に設けられている。このように、外側疎水部２１０の少なくとも一部は、肌側側端２ｅよりも肌面側Ｔ１に設けられてよい。これにより、着用者の太ももによって幅方向の内側に押された第１折り返し部２ｈを介して第２折り返し部３ｈが、吸収体１０に接触したとしても、吸収体１０に吸収された排泄物が、第１外側疎水部２１０ｓによってブロックされて、第２折り返し部３ｈへ拡散することを抑制できる。従って、着用者の肌（股間）に触れ易い肌面側Ｔ１へ滲み出すことを抑制することができる。排泄物の滲み出しによる着用者の肌触りの悪化を抑制できる。
【００８９】
また、中間非肌面部３ｕ上に設けられている第２外側疎水部２１０ｕは、肌側側端２ｅよりも非肌面側Ｔ２に設けられている。外側疎水部２１０の少なくとも一部は、肌側側端２ｅよりも非肌面側Ｔ２に設けられてよい。これにより、吸収体１０に吸収された排泄物が、着用者の肌（太もも）に触れ易い非肌面側へ滲み出すことを抑制することができる。排泄物の滲み出しによる着用者の肌触りの悪化を抑制できる。
【００９０】
また、第１外側疎水部２１０ｓと第２外側疎水部２１０ｕとのうち一方の外側疎水部２１０が、他方の外側疎水部２１０よりも幅方向Ｗの内側に延びてよい。これにより、一方の外側疎水部２１０を幅方向Ｗの内側に延ばすことにより、排泄物が滲み出す領域を低減しつつ、外側疎水部２１０どうしが厚さ方向Ｔに重なる領域を減らすことで、剛性が高くなることを抑制し、着用者の肌触りの悪化を抑制できる。
【００９１】
また、外側疎水部２１０は、中間肌面部３ｓと中間非肌面部３ｕとを跨がって設けられている。これにより、着用者の太ももによって幅方向の内側に押された第１折り返し部２ｈを介して第２折り返し部３ｈが、吸収体１０に接触したとしても、吸収体１０に吸収された排泄物が、第１外側疎水部２１０ｓによってブロックされて、セカンドシート３よりも幅方向の外側に排泄物が拡散することを制限でき、排泄物の滲み出しを低減できる。
【００９２】
また、外側疎水部２１０は、ナプキン１の幅方向Ｗ及び厚さ方向Ｔに沿った断面において、シート（実施形態では、セカンドシート３）上を連続的に設けられている。本実施形態では、非折り返し領域Ｎから折れ起点ＦＬを経由して第２折り返し部３ｈの先端３ｈｅまで連続している。このため、ナプキン１の肌面側Ｔ１からの平面視において、第１外側疎水部２１０ｓと第２外側疎水部２１０ｕとが厚さ方向Ｔにおいて重なる領域（疎水部重複領域）の剛性が高くなる。これにより、第１折り返し部２ｈが、着用者の太ももによって幅方向の内側に力が加えられ場合であっても、吸収性本体１００の幅方向Ｗの外側端部の形状を維持し易くなり、クッション性を維持し易くなる。
【００９３】
本実施形態では、図４に示すように、第１外側疎水部２１０ｓが、第２外側疎水部２１０ｕよりも幅方向Ｗの内側に延びている。着用者の肌に触れ易い肌面側Ｔ１に設けられる第１外側疎水部２１０ｓの領域を広くすることで、排泄物の滲み出しによる着用者の肌触りの悪化をより抑制できる。なお、第２外側疎水部２１０ｕが、第１外側疎水部２１０ｓよりも幅方向Ｗの内側に延びてもよい。この場合、着用者の股下に近い外側疎水部２１０を減らすことで、肌面側Ｔ１の剛性が高くなることを抑制し、着用者の肌触りの悪化を抑制できる。
【００９４】
また、第１外側疎水部２１０ｓが、第２外側疎水部２１０ｕよりも幅方向Ｗの内側に延びているため、第１外側疎水部２１０ｓの幅方向Ｗの内側縁は、第２外側疎水部２１０ｕの幅方向Ｗの内側縁よりも幅方向Ｗの内側に位置している。ここで、外側疎水部２１０が設けられている部分（特に、疎水部重複領域）は、外側疎水部２１０が設けられていない部分に比べて、剛性が高くなるため、着用者の太ももによって幅方向の内側に力が加えられた場合、最初に、第２外側疎水部２１０ｕの内側縁を起点に、吸収性本体１００の幅方向Ｗの外側端部が肌面側Ｔ１へ折れ易い。特に、本実施形態では、セカンドシート３の先端３ｈｅまで第２外側疎水部２１０ｕが設けられているため、第２外側疎水部２１０ｕの内側縁（先端３ｈｅ）を起点に折れ易い。さらに、着用者の太ももによって幅方向の内側に力が加えられると、吸収性本体１００の外側端部は形状を維持したまま、第１外側疎水部２１０ｓの内側縁を起点に折れ易い。このように、第１外側疎水部２１０ｓの幅方向Ｗの内側縁と、第２外側疎水部２１０ｕの幅方向Ｗの内側縁とを幅方向Ｗにズラすことによって、吸収性本体１００の外側端部が潰れ難くなり、クッション性を維持し易くなる。従って、着用者の肌触りを向上できる。
【００９５】
また、第１外側疎水部２１０ｓは、折れ起点ＦＬよりも幅方向Ｗの内側に延びている。このように、第１折り返し部２ｈが折り返される折れ起点ＦＬよりも幅方向Ｗの内側に、第１外側疎水部２１０ｓが設けられてよい。これにより、第１折り返し部２ｈよりも吸収体１０に近くて吸収体１０に接触し易い部分に第１外側疎水部２１０ｓを設けることによって、排泄物の滲み出しによる着用者の肌触りの悪化を抑制できる。
【００９６】
また、外側疎水部２１０が着色されている場合、ナプキン１の肌面側Ｔ１からの平面視において、第１外側疎水部２１０ｓと第２外側疎水部２１０ｕとが厚さ方向Ｔにおいて重なる領域（疎水部重複領域）の外側疎水部２１０の色は、第１外側疎水部２１０ｓと第２外側疎水部２１０ｕとが厚さ方向Ｔにおいて重ならない領域（疎水部非重複領域）の外側疎水部２１０の色と比べて濃くなる。これにより、着用者が、吸収性本体１００の幅方向Ｗの側部で外側疎水部２１０を認識し易くなり、着用者に対して、サイドから漏れ難いという安心感を与えることができる。また、上述のように、疎水部重複領域が存在することにより、クッション性を維持し易くなるため、着用者の肌触りに対する安心感を与えることもできる。
【００９７】
また、図４に示すように、吸収体１０の外側縁１０Ｅよりも幅方向Ｗの外側において、トップシート２どうしが接合されていない。これにより、トップシート２どうしが接合されている場合、接合されているトップシート２の部分は、剛性が高くなり、着用者の肌に沿って曲がり難くなる。そこで、トップシート２どうしを接合しないことによって、トップシート２の剛性が高くならずに、着用者の肌触りを向上できる。
【００９８】
また、吸収体１０の外側縁１０Ｅよりも幅方向Ｗの外側において、セカンドシート３どうしが接合されていない。これにより、セカンドシート３の剛性が高くならずに、着用者の肌触りを向上できる。
【００９９】
外側疎水部２１０が設けられているセカンドシート３において、吸収体１０の外側縁１０Ｅよりも幅方向Ｗの内側の部分（詳細には、疎水部２００が設けられていない部分）のの最大厚さは、外側疎水部２１０と重なる部分の最大厚さよりも厚くてよい。これにより、ナプキン１の平面視において、吸収体１０が配置されている領域では、セカンドシート３の厚さが厚くなることでトップシート２を着用者の肌に近づけて、排泄物を吸収し易くする。一方で、吸収体１０が配置されていない領域では、トップシート２を着用者の肌から遠ざけることで、排泄物が着用者の肌に少しでも触れ難くして、着用者の肌触りの悪化を抑制できる。
【０１００】
シートの厚さを調整する方法として、例えば、最大厚さを厚くしたい領域に熱を加えることで、シートの繊維を熱によって膨張させて、一部の領域の嵩を増してもよい。或いは、疎水部２００が設けられている側から、当該シートに熱を加えてもよい。この場合、疎水部２００と重なっている領域の繊維では、疎水部２００に保護されて繊維の膨張が抑制される。このため、疎水部２００が設けられていない領域の繊維の嵩が増しつつも、疎水部が設けられている領域の繊維の嵩を維持することができる。
【０１０１】
なお、シートの厚さは、例えば、以下の方法で測定することができる。
【０１０２】
ナプキン１がパッケージなどに封入されている場合には、パッケージから取り出し、その状態にて２０℃±２℃、相対湿度６０％±５％ＲＨの雰囲気下において１２時間放置したサンプルを用いる。
【０１０３】
尾崎製作所（株）製のダイアルゲージＰＥＡＣＯＣＫを測定装置として使用する。測定子には直径１０ｍｍのものを採用する。試片に対する測定圧が３ｇ／ｃｍ２となるように、測定装置を調整する。ここで、１０個のサンプルに対して、測定し、平均値をシート厚みとする。
【０１０４】
サンプルは、疎水部２００が設けられた（塗布された）シート（トップシート２、セカンドシート３等）をコールドスプレー等を用いて、吸収体１０から分離する。分離する際に触れていない部位において、シート厚みを測定する。なお、平面視において疎水部２００の領域が１０ｍｍ×１０ｍｍに達しない場合は、当該疎水部２００の領域において測定可能な測定装置を別途用意して、測定してよい。
【０１０５】
次に、中央疎水部２２０を中心に説明する。図６に示すように、重複領域Ｒ３２において、機能性材料（機能部３００）は、中央疎水部２２０よりも非肌面側Ｔ２に配置されている。これにより、機能性材料が揮発することにより効果が得られる場合には、重複領域Ｒ３２の機能性材料は、中央疎水部２２０によって肌面側への移動が制限される。従って、重複領域Ｒ３２の機能性材料は、中央疎水部２２０を通過するまでに時間がかかり、重複領域Ｒ３２の機能性材料に比べると、機能性材料の効果を発揮するまでに時間がかかる。一方で、非重複領域Ｒ３１の機能性材料は、中央疎水部２２０によって移動が制限されず、重複領域Ｒ３２の機能性材料と比べて、肌面側へ移動し易い。従って、非重複領域Ｒ３１の機能性材料の効果が先に発揮され、重複領域Ｒ３２の機能性材料の効果が遅れて発揮される。従って、重複領域Ｒ３２と非重複領域Ｒ３１とで機能性材料が効果を発揮する時間がずれるため、機能性材料の効果の持続時間を向上することができる。
【０１０６】
また、機能性材料が排泄物（経血、尿など）と接触することにより効果が得られる場合には、重複領域Ｒ３２において、排泄物は中央疎水部２２０よりも非肌面側へ拡散し難い。従って、非重複領域Ｒ３１の機能性材料が、排泄物に接触して、機能性材料の効果を発揮し易い。一方で、排泄物の量が多い場合には、非重複領域Ｒ３１において排泄物が、中央疎水部２２０よりも非肌面側で拡散して、重複領域Ｒ３２の機能性材料にまで到達する。これにより、重複領域Ｒ３２の機能性材料が、非重複領域Ｒ３１の機能性材料よりも遅れて効果を発揮する。従って、重複領域Ｒ３２と非重複領域Ｒ３１とで機能性材料が効果を発揮する時間がずれるため、機能性材料の効果の持続時間を向上することができる。
【０１０７】
図６に示すように、中央疎水部２２０は、セカンドシート３の非肌面側Ｔ２に設けられている。これにより、トップシート２上に排泄された排泄物をセカンドシート３まで素早く吸収することができるため、排泄物による着用者の肌触りの悪化を抑制しつつ、機能性材料の効果の持続時間を向上できる。
【０１０８】
図５に示すように、ナプキン１は、一対のウイング１Ｗの間に挟まれている領域のうち吸収コア１１が配置されている中央領域ＣＲを有する。中央領域ＣＲは、疎水領域Ｒ２（中央疎水領域Ｒ２２）と、非疎水領域Ｒ１と、を有する。ナプキン１の平面視において、中央領域ＣＲのいずれの場所であっても、非疎水領域Ｒ１が、前後方向Ｌに沿った直線と重なってよい。従って、ナプキン１の平面視において、中央領域ＣＲにおいて、中央疎水領域Ｒ２２は、中央領域ＣＲの全面を覆っているのではなく、中央疎水領域Ｒ２２が設けられていない非疎水領域Ｒ１も存在する。前後方向Ｌに沿った直線は、幅方向の中央付近（中央疎水領域Ｒ２２によって非疎水領域Ｒ１による花柄模様が浮かぶように配置されている領域）では、中央疎水領域Ｒ２２と非疎水領域Ｒ１と重なっている。一方で、前後方向Ｌに沿った直線は、内側圧搾部Ｅ１よりも幅方向の外側では、中央疎水領域Ｒ２２が配置されていないため、非疎水領域Ｒ１のみと重なっている。
【０１０９】
一対のウイング間の領域のうち、吸収コア１１が配置されている中央領域ＣＲは、一般的に、排泄口（例えば、膣口）に対向する領域である。中央領域ＣＲでは、非疎水領域Ｒ１が前後方向Ｌに沿った直線と重なるため、排泄物が前後方向Ｌに拡散することによって、非疎水領域Ｒ１に到達する。非疎水領域Ｒ１では、中央疎水部２２０が配置されていないため、排泄物が吸収コア１１にまで到達し易い。従って、中央領域ＣＲにおいて、中央疎水領域Ｒ２２では、中央疎水部２２０によって機能性材料の効果の発現を制御しつつも、非疎水領域Ｒ１では、排泄物を素早く吸収コア１１に吸収させることができる。
【０１１０】
また、非疎水領域Ｒ１は、ナプキン１の平面視において、内側圧搾部Ｅ１よりも前後方向Ｌ及び幅方向Ｗの内側に環状の領域を有する。これにより、中央疎水領域Ｒ２２においてトップシート２上で排泄物が前後方向Ｌ及び幅方向Ｗに拡散した場合であっても、排泄物が非疎水領域Ｒ１に到達するため、吸収コア１１にまで到達し易くなる。
【０１１１】
また、図５に示すように、ナプキン１の平面視において、一対の内側圧搾部Ｅ１の間に中央疎水部２２０が配置されてよい。これにより、着用者の太ももによって幅方向の内側に向かう力がナプキン１に作用した場合に、一対の内側圧搾部Ｅ１に沿ってナプキン１が折れ易くなり、ナプキン１が着用者の肌に沿い易くなる。ナプキン１が着用者の肌に沿うことで、機能性材料が揮発性を有する場合、ナプキン１の肌面側が着用者の肌に近づき、揮発した機能性材料が、着用者の肌にすぐに到達し易くなる。着用者が、機能性材料の効果を早々に感じ易くなる。
【０１１２】
また、中央疎水部２２０が設けられていない場合と比べて、中央疎水部２２０を通過して吸収コア１１にまで到達する排泄物が減少するものの、中央疎水部２２０を通過しなかった排泄物は、幅方向Ｗへ移動し、内側圧搾部Ｅ１へ到達する。排泄物は、内側圧搾部Ｅ１において吸収コア１１まで引き込まれるため、排泄物の吸収性を維持することができる。
【０１１３】
中央疎水部２２０が設けられているシートであるセカンドシート３において、中央疎水部２２０と重なる部分の最大厚さは、中央疎水部２２０よりも幅方向Ｗの外側の部分の最大厚さよりも薄くてよい。具体的には、本実施形態では、中央疎水領域Ｒ２２と重なる部分のセカンドシート３の最大厚さは、非疎水領域Ｒ１と重なる部分のセカンドシート３の最大厚さよりも薄くてよい。中央疎水部２２０は、疎水性を有することにより、通気性の悪化を招き易いため、着用者の肌から中央疎水部２２０を遠ざけることで、通気性を維持することができる。一方で、中央疎水部２２０よりも幅方向Ｗの外側の部分の最大厚さを厚くすることにより、着用者の肌にトップシートが当接し易くなり、中央疎水部２２０よりも幅方向Ｗの外側へ移動する排泄物を吸収し易くなる。
【０１１４】
また、図１に示すように、幅方向Ｗにおける中央疎水部２２０と外側疎水部２１０との間には、圧搾部Ｅが設けられてよい。中央疎水部２２０が設けられている場合、中央疎水部２２０が設けられていない場合と比べて、中央疎水部２２０を通過して吸収体にまで到達する排泄物が減少するものの、中央疎水部２２０を通過しなかった排泄物は、幅方向Ｗへ移動し、圧搾部Ｅへ到達する。排泄物は、圧搾部Ｅにおいて吸収コア１１まで引き込まれるため、排泄物の吸収性を維持することができる。加えて、吸収コア１１内で排泄物が幅方向Ｗに拡散しても、中央疎水部２２０及び外側疎水部２１０が設けられているため、吸収体１０に吸収された排泄物が、中央疎水部２２０及び外側疎水部２１０を超えて肌面側へ液戻りし難くなる。従って、吸収体１０に吸収された排泄物の滲み出しによる着用者の肌触りの悪化を抑制できる。
【０１１５】
本実施形態では、中央疎水部２２０と外側疎水部２１０との間には、内側圧搾部Ｅ１と外側圧搾部Ｅ２とが設けられている。ナプキン１の平面視において、前後方向Ｌ及び幅方向Ｗの外側において、外側疎水部２１０が、内側圧搾部Ｅ１を囲っている。従って、排泄物が、内側圧搾部Ｅ１を超えて幅方向Ｗの外側へ拡散しても、外側圧搾部Ｅ２において吸収コア１１まで引き込まれるため、排泄物の吸収性を維持することができる。
【０１１６】
（４）変更例
実施形態に係る各変更例について、図７から図１０を用いて説明する。図７は、変更例に係るナプキン１を肌面側から見た模式平面図（その１）である。図８は、図７中のＡ２−Ａ２矢視で示すナプキン１の概略模式断面図である。図９は、変更例に係るナプキン１を肌面側から見た模式平面図（その２）である。図１０は、疎水部が塗布されている側（肌面側又は非肌面側）から見た拡大模式平面図である。図１０Ａは、疎水部が塗布されている側（肌面側又は非肌面側）から見た拡大模式平面図（その１）である。図１０Ｂは、疎水部が塗布されている側（肌面側又は非肌面側）から見た拡大模式平面図（その２）である。なお、上述の実施形態と同様の説明は、適宜省略する。
【０１１７】
図７に示すように、機能部３００は、吸収体１０の前端縁まで配置されてよい。また、機能部３００は、吸収体１０の後端縁まで配置されてよい。すなわち、機能部３００は、吸収体１０よりも前後方向Ｌの外側にまで配置されなくてよい。機能性材料が、排泄物と接触することにより効果が得られるものである場合、ナプキン１の平面視において、排泄物が到達する可能性が高い領域である吸収体１０が配置されている領域のみに配置することで、機能性材料の機能を効率良く発揮させることができる。
【０１１８】
図８に示すように、セカンドシート３の非肌面側Ｔ２に疎水部２００が設けられている。従って、外側疎水部２１０は、セカンドシート３（中間シート）の肌面側に設けられている。外側疎水部２１０によってトップシート２にまで排泄物が拡散することが制限されるため、着用者の肌に触れるトップシート２の肌面側Ｔ１から排泄物が滲み出すことを抑制でき、排泄物の滲み出しによる着用者の肌触りの悪化を抑制できる。
【０１１９】
また、中央疎水部２２０は、セカンドシート３の肌面側に設けられている。これにより、セカンドシート３内にまで到達した排泄物が、セカンドシート３内を拡散しても、中央疎水部２２０と重なる領域では、セカンドシート３の肌面側へ滲み出すことを抑制できる。従って、排泄物の滲み出しによる着用者の肌触りの悪化を抑制しつつ、機能性材料の効果の持続時間を向上できる。
【０１２０】
また、セカンドシート３の肌面側Ｔ１に機能部３００が設けられている。従って、重複領域Ｒ３２において、機能性材料（機能部３００）は、中央疎水部２２０よりも肌面側Ｔ１に配置されている。これにより、機能性材料が揮発することにより効果が得られる場合には、重複領域Ｒ３２の機能性材料は、中央疎水部２２０によって非肌面側Ｔ２への移動が制限される。このため、非肌面側Ｔ２へ移動する機能性材料の割合が減少し、肌面側Ｔ１へ移動する機能性材料の割合が増加する。従って、重複領域Ｒ３２の機能性材料は、非重複領域Ｒ３１の機能性材料に比べて、着用者が吸収性物品を着用するとすぐに揮発を開始するため、着用者が機能性材料の効果を早々に感じ易くなる。一方で、非重複領域Ｒ３１の機能性材料は、重複領域Ｒ３２の機能性材料に比べると、肌面側へ移動する機能性材料の割合が少ないため、重複領域Ｒ３２の機能性材料よりも遅れて効果を発揮する。従って、重複領域Ｒ３２と非重複領域Ｒ３１とで機能性材料が効果を発揮する時間がずれるため、機能性材料の効果の持続時間を向上することができる。
【０１２１】
機能性材料が排泄物（経血、尿など）と接触することにより効果が得られる場合には、重複領域Ｒ３２では、排泄物が中央疎水部２２０よりも非肌面側Ｔ２へ拡散し難くなり、排泄物が重複領域Ｒ３２の機能性材料に接触し易くなる。このため、重複領域Ｒ３２の機能性材料が排泄物に接触する割合は、非重複領域Ｒ３１の機能性材料と比べて高くなり、機能性材料の効果を発揮し易くなる。一方で、非重複領域Ｒ３１では、排泄物が非肌面側Ｔ２へ拡散し易いため、非重複領域Ｒ３１の機能性材料が排泄物に接触する割合が、重複領域Ｒ３２の機能性材料と比べると低くなる。このため、非重複領域Ｒ３１では、効果を発揮する機能性材料が残り易く、吸収コア１１に吸収された排泄物が肌面側Ｔ１へ戻った場合であっても、当該排泄物に対して効果を発揮することができる。従って、重複領域Ｒ３２と非重複領域Ｒ３１とで機能性材料が効果を発揮する時間がずれるため、機能性材料の効果の持続時間を向上することができる。
【０１２２】
また、図８に示すように、疎水部２００と機能性材料（機能部３００）とが同一のシート部材（実施形態では、セカンドシート３）に設けられることにより、重複領域Ｒ３２と非重複領域Ｒ３１とで機能性材料が効果を発揮する時間をよりずれ易くしてもよい。
【０１２３】
図９に示すように、疎水部２００は、トップシート２の非肌面側に設けられてよい。例えば、外側疎水部２１０は、トップシート２の非肌面側Ｔ２に設けられてよい。これにより、外側疎水部２１０によって、トップシート２の肌面側Ｔ１にまで排泄物が拡散することが制限されるため、着用者の肌に触れるトップシート２の肌面側Ｔ１から排泄物が滲み出すことを抑制でき、排泄物の滲み出しによる着用者の肌触りの悪化を抑制できる。加えて、トップシート２の肌面側Ｔ１には、外側疎水部２１０が設けられていないため、トップシート２の肌触りを損なわず、着用者の肌触りの悪化を抑制できる。
【０１２４】
また、外側疎水部２１０は、トップシート２の非肌面側Ｔ２に設けられている。ここで、疎水部２００が、液状の材料を塗布することにより設けられる場合、トップシート２の内部に染みこんで、第１折り返し部２ｈにおいて疎水部２００が非肌面側Ｔ２に設けられることがある。この場合、本体接合部５ａが疎水部２００と当接し、当接している部分の本体接合部５ａが粘着性能を発揮できず、吸収性本体１００（トップシート２）と非肌側シート（サイドシート５）との接合強度が低下することがある。そこで、本体接合部５ａが外側疎水部２１０と当接しない位置に配置してよい。これにより、トップシート２とサイドシート５との接合強度の低下を抑制でき、トップシート２とサイドシート５との間から排泄物が滲み出すことを抑制できる。
【０１２５】
なお、本体接合部５ａが、外側疎水部２１０と当接しない位置に配置するために、例えば、本体接合部５ａを厚さ方向Ｔにおいて外側疎水部２１０と重ならない位置に配置してよい。
【０１２６】
また、中央疎水部２２０は、トップシート２の非肌面側Ｔ２に設けられている。これにより、トップシートの肌面側Ｔ１に中央疎水部２２０が設けられる場合と比べて、着用者の肌に中央疎水部２２０が直接当接しないため、着用者の肌触りの悪化を抑制できる。加えて、トップシート２よりも内側の部材（セカンドシート３、吸収体１０など）に到達した排泄物が拡散しても、中央疎水部２２０と重なる領域では、トップシート２の肌面側Ｔ１へ排泄物が滲み出すことを抑制できる。従って、排泄物の滲み出しによる着用者の肌触りの悪化を抑制しつつ、機能性材料の効果の持続時間を向上できる。
【０１２７】
また、図９に示すように、疎水部２００と機能性材料（機能部３００）とが、例えば、トップシート２及びセカンドシート３によって厚さ方向Ｔおいて挟まれるように配置されてよい。すなわち、トップシート２の非肌面側Ｔ２に疎水部２００（又は機能部３００）が設けられ、トップシート２に対向するセカンドシート３の肌面側Ｔ１に機能部３００（又は疎水部２００）が設けられてもよい。或いは、同一のシート部材の同一の面（肌面側Ｔ１又は非肌面側Ｔ２）に、疎水部２００と機能性材料（機能部３００）とを設けてもよい。例えば、セカンドシート３の肌面側に疎水部２００（又は機能部３００）を設けた後に、さらに、セカンドシート３の肌面側に機能部３００（又は疎水部２００）を設けてもよい。このように、疎水部２００と機能部３００とが隣接して配置されることで、疎水部２００による機能性材料の移動を制限する効果が高まり、重複領域Ｒ３２と非重複領域Ｒ３１とで機能性材料が効果を発揮する時間をよりずれ易くできる。
【０１２８】
図１０に示すように、疎水部２００は、疎水部２００を構成するインクが印刷によって配置されている場合、疎水領域Ｒ２は、非網点領域Ｒ２４と網点領域Ｒ２５とからなってよい。非網点領域Ｒ２４は、インクにより構成される複数の網点２５０間の隙間の領域である。網点領域Ｒ２５は、複数の網点２５０が配置されている領域である。
【０１２９】
図１０Ａに示すように、中央疎水領域Ｒ２２に対する網点領域Ｒ２５の割合（網点領域Ｒ２５の面積／中央疎水領域Ｒ２２の面積）は、中央疎水領域Ｒ２２に対する非網点領域Ｒ２４の割合（非網点領域Ｒ２４の面積／中央疎水領域Ｒ２２の面積）よりも大きくてよい。例えば、フレキソ印刷が用いられた場合、中央疎水領域Ｒ２２に対する網点領域Ｒ２５の割合は、５０％より大きく、１００％以下であってよい。中央疎水領域Ｒ２２に対する非網点領域Ｒ２４の割合が０％以上であり、５０％以下であってよい。これにより、中央疎水領域Ｒ２２において中央疎水部２２０を構成するインクの存在する割合が高くなるため、機能性材料が中央疎水部２２０を通過し難くなり、機能性材料の効果を制御し易くなる。従って、重複領域Ｒ３２と非重複領域Ｒ３１とで機能性材料が効果を発揮する時間がずれ易くなり、機能性材料の効果の持続時間を向上することができる。
【０１３０】
図１０Ｂに示すように、中央疎水領域Ｒ２２に対する網点領域Ｒ２５の割合は、前記疎水領域に対する非網点領域Ｒ２４の割合以下であってよい。例えば、フレキソ印刷が用いられた場合、中央疎水領域Ｒ２２に対する網点領域Ｒ２５の割合は、０％以上であり、５０％以下であってよい。中央疎水領域Ｒ２２に対する非網点領域Ｒ２４の割合が５０％より大きく、１００％以下であってよい。これにより、中央疎水領域Ｒ２２において中央疎水部２２０を構成するインクの存在する割合が低くなるため、中央疎水領域Ｒ２２において、排泄物が中央疎水部２２０を通過し易くなるため、吸収コア１１に比較的到達し易くなる。これにより、機能性材料の効果の発現の制御と、排泄物の吸収性との両立を図ることができる。
【０１３１】
なお、中央疎水領域Ｒ２２に対する非網点領域Ｒ２４／網点領域Ｒ２５の割合は、中央疎水領域Ｒ２２の単位面積当たりの非網点領域Ｒ２４／網点領域Ｒ２５の面積を測定することにより、算出することができる。
【０１３２】
また、疎水部２００が、ナプキン１に印刷されたインクが配置されている複数の網点２５０により構成されている場合、中央疎水部２２０における複数の網点２５０の単位面積当たりの密度は、外側疎水部２１０における複数の網点２５０の単位面積当たりの密度よりも小さくよい。中央疎水部２２０では、複数の網点２５０の密度が低いため排泄物の吸水性を確保しつつも、吸収体１０に吸収された排泄物が肌面側Ｔ１液戻りし難くなる。これにより、吸収体１０の外側縁１０Ｅよりも幅方向Ｗの内側においても、吸収体に吸収された排泄物の滲み出しによる着用者の肌触りの悪化を抑制できる。一方で、吸収体１０よりも幅方向Ｗの外側では、肌面側Ｔ１からの吸水性の必要性は低い。従って、外側疎水部２１０では複数の網点の密度を高くして吸収体１０に吸収された排泄物の滲み出しをさらに抑制して、着用者の肌触りの悪化を抑制できる。
【０１３３】
また、外側疎水部２１０における複数の網点２５０の単位面積当たりの密度は、中央疎水部２２０における複数の網点２５０の単位面積当たりの密度よりも小さくよい。外側疎水部２１０では、複数の網点２５０の密度が低いため、外側疎水部２１０が設けられても剛性が高くなりすぎず、吸収体１０の外側縁１０Ｅよりも幅方向Ｗの外側の部分が着用者の肌に沿って曲がり難くなることを抑制できる。着用者の肌触りの悪化を抑制できる。一方で、中央疎水部２２０では、吸収体１０に吸収された排泄物が肌面側へ液戻りし難くなり、吸収体１０に吸収された排泄物の滲み出しによる着用者の肌触りの悪化を抑制できる。
【０１３４】
なお、網点２５０の密度は、単位面積当たりの網点の数を計測することにより、算出することができる。
【０１３５】
（５）その他実施形態
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１３６】
上述の実施形態においては、トップシート２として疎水性の熱可塑性の合成樹脂フィルムを用いたが、これに限られない。例えば、不織布等の親水性のシート部材を用いても良い。親水性のシート部材をトップシート２として用いた場合でも、貫通孔を備えることで、吸収体１０への排泄物の吸収を誘導しやすくなる。
【０１３７】
また、上述の実施形態では、図３に示すように、第１折り返し部２ｈは、吸収体１０と非肌側シート（サイドシート５）との間に挟まれていたが、これに限られない。第１折り返し部２ｈの先端２ｈｅは、吸収体１０の外側縁１０Ｅよりも幅方向Ｗの外側に配置されてよい。この場合、吸収体１０は、非肌側シート（サイドシート５）に接合されてよい。
【０１３８】
また、上述の実施形態においては、第２折り返し部３ｈの先端３ｈｅは、本体接合部５ａの一部と厚さ方向Ｔで重なるものであったが、これに限られない。第２折り返し部３ｈの先端３ｈｅは、本体接合部５ａの一部と厚さ方向Ｔで重ならなくてよい。第２折り返し部３ｈの先端３ｈｅが、本体接合部５ａの外側縁５ｅより幅方向Ｗの外側に位置してもよい。本体接合部５ａにセカンドシート３が重なっていないことで、本体接合部５ａ及び一体とされたトップシート２とセカンドシート３と吸収体１０の幅方向Ｗの端部における剛性をより低くさせることができる。これによって、着用状態において、ナプキン１を着用物品に固定した状態で、一体とされたトップシート２とセカンドシート３と吸収体１０とを着用者の身体に沿わせやすくなるため、着用者にとって装着性が向上する。
【０１３９】
上述の実施形態においては、一対の本体接合部５ａは、ナプキン１の前後方向Ｌに沿った連続形状で、ナプキン１の幅方向Ｗの中心線Ｘ−Ｘ線について対称な位置に設けたが、これに限られない。本体接合部５ａを間欠な状態で設けてもよく、また、中心線Ｘ−Ｘについて非対称である位置に設けてもよい。
【０１４０】
上述の実施形態においては、吸収コア１１と吸収性ポリマーシート１２とを厚さ方向Ｔに重ねた吸収体１０を用いたが、これに限られない。例えば、吸収体１０として、吸収コア１１のみであってもよいし、吸収性ポリマーシート１２のみであってもよい。また、吸収コア１１が吸収性ポリマーを有していてもよい。
【０１４１】
上述の実施形態では、セカンドシート３が中間シートであったが、これに限られない。吸収体１０は、吸収コア１１を厚さ方向Ｔにおいて挟むコアラップシートを有してよい。コアラップシートのうち、吸収コア１１よりも肌面側Ｔ１に配置されているシートが中間シートであってよい。この場合、セカンドシート３をコアラップシートに置き換えることが可能であることに留意すべきである。また、ナプキン１は、セカンドシート３とコアラップシートとを有してよい。
【０１４２】
また、疎水部２００（外側疎水部２１０及び／又は中央疎水部２２０）が設けられるシートは、トップシート２、セカンドシート３、コアラップシートの少なくともいずれかである。疎水部２００は、複数のシートに設けられてよいし、単一のシートに設けられてよい。疎水部２００は、疎水部２００が設けられるシートの肌面側Ｔ１と非肌面側Ｔ２とのうちいずれか一方にのみ設けられてよく、肌面側Ｔ１と非肌面側Ｔ２との両方に設けられてよい。
【０１４３】
また、機能部３００（機能性材料）が設けられるシートは、トップシート２、セカンドシート３、コアラップシートの少なくともいずれかである。疎水部２００は、複数のシートに設けられてよいし、単一のシートに設けられてよい。機能部３００は、機能部３００が設けられるシートの肌面側Ｔ１と非肌面側Ｔ２とのうちいずれか一方にのみ設けられてよく、肌面側Ｔ１と非肌面側Ｔ２との両方に設けられてよい。
【０１４４】
なお、機能性材料が排泄物と接触することにより効果が得られるものである（例えば、抗菌剤、消臭剤）場合、例えば、機能部３００は、吸収コア１１の非肌面側Ｔ２、カバーシート１３の肌面側Ｔ１、カバーシート１３の非肌面側Ｔ２、のいずれかに設けられてよい。
【０１４５】
上述の実施形態では、機能性材料は、吸収体１０の外側縁１０Ｅよりも幅方向Ｗの内側に設けられていたが、これに限られない。機能性材料（機能部３００）は、吸収体１０の外側縁１０Ｅよりも幅方向Ｗの内側に設けられてもよい。この場合、機能性材料は、外側疎水部２１０と厚さ方向Ｔにおいて重ならなくてもよい。或いは、機能性材料は、外側疎水部２１０と厚さ方向Ｔにおいて重なる領域と、外側疎水部２１０と厚さ方向Ｔにおいて重ならない領域との両方に配置されてよい。
【０１４６】
上述の実施形態では、中央疎水部２２０が設けられていたが、これに限られない。中央疎水部２２０は設けられなくてもよい。また、ナプキン１は、機能性材料（機能部３００）を有していたが、これに限られない。機能性材料を有さなくてよい。
【０１４７】
上述の実施形態及び各変更例に係るナプキン１に係る構成は、適宜組み合わせることが可能である。また、上述したように、ナプキン１を例に挙げて説明したが、吸収性物品であればよく、ナプキン１を吸収性物品に置き換えることが可能であることに留意すべきである。
【符号の説明】
【０１４８】
１        ：生理用ナプキン（ナプキン）
１Ｗ      ：ウイング
２        ：トップシート
２ｅ      ：肌側側端
２ｈ      ：第１折り返し部
２ｓ      ：肌面部
２ｕ      ：非肌面部
３        ：セカンドシート
３ｅ      ：中間側端
３ｈ      ：第２折り返し部
４        ：バックシート
５        ：サイドシート
５ａ      ：本体接合部
５ｅ      ：外側縁
８        ：中央粘着部
９        ：ウイング粘着部
１０      ：吸収体
１０ａ    ：吸収体接合部
１１      ：吸収コア
１２      ：吸収性ポリマーシート
１３      ：カバーシート
１００    ：吸収性本体
１２１    ：高吸収性ポリマー
１２２    ：液体透過性シート
２００    ：疎水部
２１０    ：外側疎水部
２２０    ：中央疎水部
２５０    ：網点
３００    ：機能部
ＣＲ      ：中央領域
Ｅ        ：圧搾部
Ｅ１      ：内側圧搾部
Ｅ２      ：外側圧搾部
Ｒ１      ：非疎水領域
Ｒ２      ：疎水領域
Ｒ２１    ：外側疎水領域
Ｒ２２    ：中央疎水領域
Ｒ２４    ：非網点領域
Ｒ２５    ：網点領域
Ｒ３      ：機能領域
Ｒ３１    ：非重複領域
Ｒ３２    ：重複領域
Ｓ１      ：前側域
Ｓ２      ：後側域
Ｓ３      ：中央域
【図１】
2020058634.tif 000003
【図２】
2020058634.tif 000004
【図３】
2020058634.tif 000005
【図４】
2020058634.tif 000006
【図５】
2020058634.tif 000007
【図６】
2020058634.tif 000008
【図７】
2020058634.tif 000009
【図８】
2020058634.tif 000010
【図９】
2020058634.tif 000011
【図１０】
2020058634.tif 000012